(57)【要約】【課題】  電子データファイルのデータ内容を直感的にイメージすることの可能なデザイン且つ表示態様の表示オブジェクトを画面表示する。【解決手段】  電子データファイルに含まれるテキストデータから、当該データの内容を表す単語に相当する文字列情報を抽出し、該抽出した文字列情報に基づいて電子データファイルに対応付ける表示オブジェクトのデザインと表示態様とを決定する。決定したデザインと表示態様とに従って、電子データファイルを表す表示オブジェクトを画面表示する。このようにして、表示オブジェクトがデータ内容を表し得る単語に対応したデザインと表示態様で表示されるので、表示オブジェクトは当然にデータ内容を反映したものとなる。したがって、ユーザは表示オブジェクトを見て電子データファイルのデータ内容を直感的にイメージすることができる。【選択図】        図１
2014021599.tif 000002
【特許請求の範囲】
【請求項１】
少なくともテキストデータを含んでなる電子データファイルを取得する取得手段と、
前記取得した電子データファイルに含まれるテキストデータから、当該データの内容を表す単語に相当する文字列情報を抽出する抽出手段と、
前記抽出した文字列情報に基づいて、前記取得した電子データファイルに対応付ける表示オブジェクトのデザインと表示態様とを決定する決定手段と、
前記決定したデザインと表示態様とに従って、前記取得した電子データファイルを表す表示オブジェクトを画面表示する表示制御手段と
を具える表示制御装置。
【請求項２】
前記決定手段は、前記電子データファイルから特定されるデータ拡張子と前記抽出した文字列情報とに基づいて、当該電子データファイルに対応付ける表示オブジェクトのデザインと表示態様とを決定することを特徴とする請求項１に記載の表示制御装置。
【請求項３】
前記表示制御手段は、前記データ拡張子に基づき決定されたデザインと表示態様とに従って表示する表示オブジェクトと、前記抽出した文字列情報に基づき決定されたデザインと表示態様とに従って表示する表示オブジェクトとを合成して画面表示することを特徴とする請求項２に記載の表示制御装置。
【請求項４】
コンピュータに、
少なくともテキストデータを含んでなる電子データファイルを取得する手順と、
前記取得した電子データファイルに含まれるテキストデータから、当該データの内容を表す単語に相当する文字列情報を抽出する手順と、
前記抽出した文字列情報に基づいて、前記取得した電子データファイルに対応付ける表示オブジェクトのデザインと表示態様とを決定する手順と、
前記決定したデザインと表示態様とに従って、前記取得した電子データファイルを表す表示オブジェクトを画面表示する手順と
を実行させるためのプログラム。
【発明の詳細な説明】
【技術分野】
【０００１】
この発明は、電子データファイルに対応するアイコンを画面表示する表示制御装置及びプログラムに関する。特に、ユーザが電子データファイルのデータ内容をイメージ可能なデザイン及び表示態様のアイコンを表示する技術に関する。
【背景技術】
【０００２】
最近では、パーソナルコンピュータなどの情報処理装置におけるユーザの操作性を向上するために、処理対象の文書データやオーディオデータ等の電子データファイルをシンボライズ化して、小さな絵や記号などの抽象画像からなる表示オブジェクト（以下、「アイコン」と記す）として画面に表示するようになっている。このような情報処理装置では、ユーザは画面に表示されたアイコンをマウス等のポインティングデバイスを用いてクリックする又は指などで直接タッチするなどの簡単な操作を行うだけで、当該アイコンに対応付けられているファイルのデータ種類（タイプ）毎に予め決められた各種処理（例えば、文書編集処理あるいはオーディオ再生処理等）を実行することができるようになっている。これによれば、ユーザがキーボードからコマンドを入力するなどの面倒な操作を行わなくてよいので、ユーザの操作性は著しく向上する。
【０００３】
アイコンはファイルをシンボライズ化したものであるが故に、ユーザが一見してデータ種類を直感的に認識することのできるように、データ種類に対応した様々なデザインのアイコンが表示されるようになっている。また、ファイルサイズ（データ量）に応じて、アイコンの表示色や表示サイズなどの表示態様を変更するものが従来から知られている（例えば、以下に示す特許文献１参照）。さらには、ファイル生成時刻からの時間経過に応じてアイコンの表示色を変更するものもある（例えば、以下に示す特許文献２参照）。
【先行技術文献】
【特許文献】
【０００４】
【特許文献１】特開平05-265689号公報
【特許文献２】特開2004-362601号公報
【発明の概要】
【発明が解決しようとする課題】
【０００５】
しかしながら、従来技術は、上述したようにデータ種類に対応した所定デザインのアイコンを、ファイルサイズあるいはファイル生成時刻からの時間経過に応じて表示態様を変更して画面に表示するものである。それ故に、ユーザは表示されたアイコンによって、あくまでも電子データファイルのデータ種類やデータサイズあるいは前記経過時間を認識することしかできない。すなわち、ユーザが表示されたアイコンを見るだけで電子データファイルのデータ内容までをも直感的に認識することは難しかった。
【０００６】
本発明は上述の点に鑑みてなされたもので、ユーザが電子データファイルのデータ内容を直感的にイメージすることの可能なデザイン且つ表示態様のアイコンを表示する表示制御装置及びプログラムを提供することを目的とする。
【課題を解決するための手段】
【０００７】
本発明に係る表示制御装置は、少なくともテキストデータを含んでなる電子データファイルを取得する取得手段と、前記取得した電子データファイルに含まれるテキストデータから、当該データの内容を表す単語に相当する文字列情報を抽出する抽出手段と、前記抽出した文字列情報に基づいて、前記取得した電子データファイルに対応付ける表示オブジェクトのデザインと表示態様とを決定する決定手段と、前記決定したデザインと表示態様とに従って、前記取得した電子データファイルを表す表示オブジェクトを画面表示する表示制御手段とを具える。
【０００８】
本発明によると、電子データファイルに含まれるテキストデータから、当該データの内容を表す単語に相当する文字列情報を抽出し、該抽出した文字列情報に基づいて電子データファイルに対応付ける表示オブジェクトのデザインと表示態様とを決定する。すなわち、電子データファイルに含まれるテキストデータは数多くの単語を含むが、それらの単語の中には当該ファイルのデータ内容に関連した単語も含まれる。そこで、テキストデータからデータ内容を表し得る単語を抽出し、該抽出した単語に基づいて表示オブジェクトのデザインと表示態様とを決定する。そして、表示オブジェクトはデータ内容を表し得る単語に基づいて決定されたデザインと表示態様とに基づき画面表示される。つまり、データ内容を表し得る単語に対応したデザインと表示態様で表示オブジェクトは表示されることから、そのデザイン及び表示態様は当然にデータ内容を反映したものとなる。これによれば、ユーザは表示された表示オブジェクトを見て、対応付けられる電子データファイルのデータ内容を直感的にイメージすることができる。それに伴い、ユーザは表示オブジェクトを介したデータ処理を効率的に行うことができるようになる。言い換えれば、ユーザの操作性がより向上する。
【０００９】
本発明は、装置の発明として構成し、実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【００１０】
この発明によれば、テキストデータから抽出したデータ内容を表し得る単語に基づいて表示オブジェクトのデザインと表示態様とを決定するようにしたことから、ユーザは表示された表示オブジェクトを見るだけで電子データファイルのデータ内容を直感的にイメージすることができる、という効果が得られる。
【図面の簡単な説明】
【００１１】
【図１】本発明に係る表示制御装置の一実施例を示す機能ブロック図である。
【図２】電子データファイルのデータ構成の一実施例を示す概念図である。
【図３】アイコン編集テーブルの一実施例を示す概念図である。
【図４】アイコン表示制御処理の一実施例を示すフローチャートである。
【図５】アイコン表示制御処理によって画面に表示されるアイコンの一例を示す概念図である。
【図６】アイコンの別の例を示す概念図である。
【発明を実施するための形態】
【００１２】
以下、この発明の実施の形態を添付図面に従って詳細に説明する。
【００１３】
まず、本発明に係る表示制御装置について説明する。図１は、この発明に係る表示制御装置の一実施例を示す機能ブロック図である。なお、表示制御装置としては図１に示す以外の機能を有する場合もあるが、ここでは必要最小限の機能を有する場合について説明する。
【００１４】
本実施例に示す表示制御装置は、大きく分けて記憶部１と制御部２と実データ利用部３とにより構成される。記憶部１は、後述する電子データファイル（図２参照）、アイコン編集テーブル（図３参照）、さらにはアイコン（表示オブジェクト）を表示するためのアイコン部材データ（図示せず）などの各種データや、制御部２により実行あるいは参照されるアイコン表示制御処理（図４参照）などの各種アプリケーションソフトウェアプログラム等を記憶する。こうした記憶部１はハードディスク等の外部記憶装置であってもよいし、フレキシブルディスク（FD）、コンパクトディスク（CD）、光磁気ディスク（MO）、DVD（Digital Versatile Diskの略）等の着脱自在な様々な形態の外部記憶媒体を利用する記憶装置であってもよい。若しくは、半導体メモリなどであってもよい。
【００１５】
制御部２は、図示を省略したＣＰＵ、ＲＯＭ 、ＲＡＭなどからなる独立したコンピュータにより構成されてなり、記憶部１に記憶された中から任意のアプリケーションソフトウェアプログラムを実行することが可能である。本実施形態では、後述するアイコン表示制御処理（図４参照）を実行することによって、図１に示したファイル取得部Ａ、単語情報抽出部Ｂ、アイコン表示決定部Ｃ、アイコン表示制御部Ｄに相当する各機能を実現する。
【００１６】
ファイル取得部Ａは、表示対象に指定された１乃至複数の電子データファイルを記憶部１から順次に取得し、該取得した個々の電子データファイルに含まれるデータのうちテキストデータを単語情報抽出部Ｂに供給する。ここで、記憶部１に記憶される電子データファイルの一例を図２に示す。図２に示すように、電子データファイルは、ＭＩＤＩデータやオーディオデータ等（便宜的に実データと呼ぶ）の実データ利用部３が利用可能なデータの他に、テキストデータを含んでなる。勿論、実データはＭＩＤＩデータやオーディオデータに限らず、動画データや電子楽器の環境設定データなど、実データ利用部３が利用可能なデータであればどのようなものであってもよい。そうであるなら、実データ利用部３が例えばテキストデータを扱う機器である場合には、テキストデータそのものが実データを兼ねる。
【００１７】
なお、本明細書におけるテキストデータは、データの内容すべてを人間が読んで理解できる文字や記号などの表現形式からなる文字列つまりは文字コードで表されるデータのみからなり、そうしたものであればどのようなデータ形式であってもよい。また、テキストデータは図２に示したような必ずしも実データと明確に分けて記録された所謂テキストチャンクデータに限らず、実データがテキストデータを含んでいてもよい。具体例を挙げると、テキストチャンクデータとしてはファイル名やスタイル名さらにはファイル固有のＩＤ情報などが相当し、実データに含まれるテキストデータとしては電子透かし情報やテキストメタイベントなどが相当する。
【００１８】
図１の説明に戻って、単語情報抽出部Ｂはファイル取得部Ａから供給されたテキストデータを分析して、当該テキストデータに含まれる単語に相当する文字列（以下、単に単語と記す）の抽出を行う。このテキストデータに含まれる単語を抽出する方法については公知のどのような方法であってもよいことから、ここでは説明を省略する。単語情報抽出部Ｂは単語を抽出すると、該抽出した単語を示す単語情報をアイコン表示決定部Ｃに送る。
【００１９】
アイコン表示決定部Ｃは、単語情報抽出部Ｂから送られてくる単語情報に基づいて画面に表示するアイコンのデザイン及び表示態様を決定し、該決定したデザイン及び表示態様を示す表示情報をアイコン表示制御部Ｄに送る。上記アイコンのデザイン及び表示態様は、記憶部１に記憶されているアイコン編集テーブルが参照されることによって決定される。そこで、アイコンのデザイン及び表示態様を決定するために用いるアイコン編集テーブルについて説明する。図３は、アイコン編集テーブルのデータ構成を示す概念図である。
【００２０】
図３（ａ）に示すように、アイコン編集テーブルは、１乃至複数の登録単語と表示情報との組み合わせを定義したものである。登録単語は予め登録された任意の単語を表す文字列情報であり、データ内容を表す単語に相当し得る。表示情報は、記憶部１に記憶されているアイコン部材データを指定するアイコンデザイン情報と、前記アイコン部材データに基づいてアイコンを画面に表示する際の当該アイコンの表示態様（表示色や表示サイズなど）を指定するアイコン表示態様情報などを含んでなる。この例では「雪」、「海」、「夕焼け」という単語がそれぞれ登録されており、例えば単語情報抽出部Ｂから送られてくる単語情報が「雪」であるような場合、アイコン表示決定部Ｃはデザインが「雪の結晶」の画像あるいは形状をしたアイコン（例えば図５参照）を表示対象に決定すると共にその表示色を「白」に決定する。
【００２１】
なお、テキストデータから抽出される単語は１つに限らず複数であることの方が多い。そうした場合には、複数の単語に対応して複数のアイコンが選択されることになり、１つの電子データファイルであるにも関わらず画面には対応するアイコンが複数表示されることになるので都合が悪い。そこで、本実施形態における単語情報抽出部Ｂは表示情報を決定するための単語として、抽出した複数の単語の中から１つを特定する。その特定方法としては、例えば出現回数の多い単語、最初に抽出した単語、実データにおいて重要度の高い箇所で出現した単語（例えば曲のサビの部分）、ユーザが実データのデータ内容をイメージ可能な単語などに特定するようにするとよい。また、類語を１つの単語に集約し、この集約した単語を含む複数の単語の中から１つを特定するようにしてもよい。例えば抽出した単語が「スノー」、「細雪」、「豪雪」、「雪深い」等の「雪」に関する類語であるような場合には、これらの類語を「雪」という単語に集約するとよい。さらには、アイコン編集テーブルの登録単語に複数の単語の組み合わせ（例えば、雪と海など）を登録しておき、複数の単語の組み合わせに基づいてアイコンデザイン情報及びアイコン表示態様情報を決定できるようにしてもよい。
【００２２】
ところで、テキストデータから抽出される複数の単語のいずれもがアイコン編集テーブルに登録されていない単語であることもあり得る。つまりは、テキストデータから登録単語のいずれかに対応する単語を全く抽出できないこともある。そのような場合に、当該ファイルに対応するアイコンが画面に表示されないと都合が悪い。そこで、本実施形態においては必ず電子データファイルに対応したアイコンを表示するために、図３（ｂ）に示すように、登録単語の代わりにテキスト合算値と表示情報との組み合わせを定義したアイコン編集テーブルを用意しておき、これに従ってアイコンのデザイン（アイコンデザイン情報）やアイコンの表示色など（アイコン表示態様情報）を決定するようにするとよい。テキスト合算値はテキストデータから求められる数値であって、例えばテキストデータに含まれる文字数、テキストデータ全体のデータサイズ、抽出した単語の文字コードや漢字コードを１文字毎に数値変換しそれらを累計した値などである。勿論、テキスト合算値はこれらに限らず、テキストデータから得られる数値情報であればどのようなものであってもよい。なお、詳しくは後述するが、これらのアイコン編集テーブルはデータ種類を示すデータ拡張子毎に用意されていてよい。
【００２３】
図１の説明に戻って、アイコン表示制御部Ｄは、例えば液晶（ＬＣＤ）や有機ＥＬあるいは電子ペーパー等で構成されたディスプレイ（図示せず）に、アイコンを所定の表示態様にて表示する。このとき、アイコン表示決定部Ｃから送られた表示情報に含まれるアイコンデザイン情報に従って、記憶部１から対応するアイコン部材データを取得し、該取得したアイコン部材データに基づいて所定デザインのアイコンを画面表示する。また、その際には、表示情報に含まれるアイコン表示態様情報に従って、所定の表示色や表示サイズで表示するように前記アイコンの表示態様を変更する。このようにして、テキストデータのデータ内容を表し得る単語に対応したデザインと表示態様のアイコンを表示する。
【００２４】
また、ファイル取得部Ａは、アイコン表示された１乃至複数の電子データファイルのうち、ユーザ操作に応じて任意に指定された電子データファイルに含まれる実データを実データ利用部３に供給する。すなわち、ファイル取得部Ａから実データ利用部３に供給される実データは、画面に表示されたいずれかのアイコンに対するユーザ操作（例えばタッチ操作やクリック操作など）に従って、該ユーザ操作されたアイコンに対応付けられている電子データファイルに含まれる実データである。
【００２５】
実データ利用部３は電子データファイルの実データを利用可能な機器であって、ファイル取得部Ａからユーザ操作に応じて指定された任意の電子データファイルに含まれる実データが供給されることにより、該実データに基づいて所定の動作を実行する。例えば、実データが楽曲データ（MIDIデータ）あるいはオーディオデータである場合には、楽音を発生する音源やアンプ及びスピーカ等からなる楽音再生機器であるし、動画データや静止画データであるような場合には画像再生機器である。つまり、実データ利用部３は、実データを利用して何らかの動作を実行可能な機器であればどのような機器であってもよい。
【００２６】
次に、図１に示した各機能を実現するアイコン表示制御処理について、図４を用いて説明する。図４は、アイコン表示制御処理の一実施例を示すフローチャートである。この「アイコン表示制御処理」は、ユーザによるファイル表示指示操作などに応じて制御部２によって実行される。図５は、本処理によって画面に表示されるアイコンの一例を示す概念図である。
【００２７】
ステップＳ１は、ユーザによるファイル表示指示操作に従って指定された１乃至複数の電子データファイルのうちのいずれかのファイルを、最初にアイコン表示する対象のファイルとして選択する。ステップＳ２は、前記選択したファイルを記憶部１から読み取り、該読み取ったファイルに含まれるテキストデータを分析して、当該テキストデータに含まれる単語を抽出する。ステップＳ３は、テキストデータから抽出した単語（以下、単語情報と記す）に基づきアイコン編集テーブル（図３参照）に登録されている単語を検索する。
【００２８】
ステップＳ４は、図３（ａ）に示したアイコン編集テーブルを利用した単語検索により単語情報に対応する登録単語が見つかったか否かを判定する。単語情報に対応する登録単語が見つかった場合には（ステップＳ４のＹＥＳ）、見つかった登録単語は１つか又は複数かを判定する（ステップＳ５）。見つかった登録単語が１つのみである場合には（ステップＳ５のＹＥＳ）、ステップＳ７の処理に進む。一方、見つかった登録単語が１つのみでなく複数ある場合には（ステップＳ５のＮＯ）、それら複数の登録単語の中から１つを決定する（ステップＳ６）。この際には、例えば出現回数の多い単語、最初に出てきた単語、実データにおいて重要度の高い箇所（例えば曲のサビ）で出現した単語、実データのイメージを表す重要単語に相当する単語のいずれかにより1つに決定するとよい。勿論、それらを順位付けしてあってもよい。
【００２９】
ステップＳ７は、単語検索により決定された１つの登録単語に対応するアイコンを画面に表示する。すなわち、図３（ａ）に示すアイコン編集テーブルにおける上記した単語検索により決定した１つの登録単語に組み合わされているアイコンデザイン情報に従って、該当するアイコン部材データを記憶部１から読み出し、該読み出したアイコン部材データに基づくアイコンを画面に表示する。例えば、図５に示すような雪の結晶を表すアイコンＩが表示される。また、このときには、決定した１つの登録単語に組み合わされているアイコン表示態様情報に従って、アイコン部材データに基づくアイコンの表示色などを適宜に変更して表示する。例えば、元のアイコンが「白」であってもアイコン表示態様情報が「桃」であれば、桃色の雪の結晶のアイコンが表示される。なお、図５では省略したが、アイコンＩ上や近傍などにファイル名称を表示してよい。
【００３０】
上記ステップＳ４において、単語情報に対応する登録単語が見つからなかった場合には（ステップＳ４のＮＯ）、テキスト合算値に従って決定した登録単語又はデフォルトの単語に対応するアイコンを画面に表示する（ステップＳ８）。すなわち、テキストデータから登録単語のいずれかに対応する単語を全く抽出できなかった場合には、テキストデータから求めたテキスト合算値に従って図３（ｂ）に示したアイコン編集テーブルを利用して１つの登録単語を決定する。そして、図３（ｂ）に示したアイコン編集テーブルにおいて、決定した登録単語に組み合わされたアイコンデザイン情報及びアイコン表示態様情報に従って、表示色などを適宜に変更したアイコンを画面に表示する。あるいは、デフォルトのアイコンデザイン情報及びアイコン表示態様情報（表示情報）を予め決めておき、これに従って表示色などを適宜に変更したアイコンを画面に表示するようにしてもよい。
【００３１】
ステップＳ９は、ユーザによるファイル表示指示操作に従って指定された１乃至複数の電子データファイルのうち次のファイル、つまりアイコン表示していないファイルがあるか否かを判定する。アイコン表示していないファイルがあると判定した場合には（ステップＳ９のＹＥＳ）、該当ファイルをアイコン表示する対象のファイルとして選択する（ステップＳ１０）。そして、ステップＳ２の処理に戻って上記処理を繰り返す。こうすることにより、指定された１乃至複数の電子データファイル各々に対応するアイコンが画面に表示される。アイコン表示していないファイルがないと判定した場合には（ステップＳ９のＮＯ）、本処理を終了する。
【００３２】
以上のように、本発明に係る表示制御装置では、電子データファイルに含まれるテキストデータからアイコン編集テーブル（図３参照）の登録単語に相当する単語を抽出することに従って、該抽出した単語に基づいてアイコン編集テーブルを参照して電子データファイルに対応付けるアイコンのデザイン（アイコンデザイン情報）と表示態様（アイコン表示態様）とを決定する。すなわち、電子データファイルに含まれるテキストデータは数多くの単語を含むが、それらの単語の中には当該ファイルのデータ内容に関連した単語も含まれることから、予め用意されたアイコン編集テーブルに従ってデータ内容を表し得る単語を抽出すると共に該抽出した単語に対応したデザインと表示態様とを決定する。
【００３３】
これによれば、アイコンはデータ内容を表し得る単語に対応したデザインと表示態様で画面表示されることから、当然にデータ内容が反映されている。したがって、ユーザは表示されたアイコンを見れば電子データファイルのデータ内容を直感的にイメージすることができる。それに伴い、ユーザはアイコンを介したデータ処理を効率的に行うことができる。言い換えれば、ユーザの操作性がより向上する。
【００３４】
以上、図面に基づいて実施形態の一例を説明したが、本発明はこれに限定されるものではなく、様々な実施形態が可能であることは言うまでもない。例えば、上述した実施例では、テキストデータから抽出した１乃至複数の単語によって決定される登録単語に基づき、アイコンのデザイン及び表示態様を決定する例を示したが、これに限らず、データ種類を示す拡張子と登録単語との組み合わせに基づきアイコンのデザイン及び表示態様を決定するようにしてもよい。この場合、図１に示す単語情報抽出部Ｂはテキストデータの分析により決定された単語情報をアイコン表示決定部Ｃに送るだけでなく、実データのデータ種類を示す拡張子（例えば、実データがＭＩＤＩデータであることを示す拡張子「mid」やオーディオデータであることを示す拡張子「mp3」等）を示す拡張子情報を単語情報と共にアイコン表示決定部Ｃに送る。
【００３５】
アイコン表示決定部Ｃは、単語情報及び拡張子情報の組み合わせに応じてアイコン編集テーブルを参照して表示情報を決定する。すなわち、記憶部１には、図３（ａ）に示したようなデータ構成のアイコン編集テーブルが拡張子毎に用意されており、アイコン表示決定部Ｃは前記拡張子情報に従って複数のアイコン編集テーブルのうちのいずれか１つを選択する。そして、該選択したアイコン編集テーブルを参照して単語情報に基づいて画面に表示するアイコンのデザイン及び表示態様を決定する。このようにして、単語情報及び拡張子情報の組み合わせに応じ１つのアイコンを決定する。アイコンの表示例を図６（ａ）に示す。
【００３６】
図６（ａ）左に示すアイコンＩは、例えば登録単語が「夕焼け」であり拡張子が「mid」の場合である。他方、図６（ａ）右に示すアイコンＩは、例えば登録単語が同じ「夕焼け」であるが拡張子が「mp3」の場合である。このように、テキストデータの分析によって得られたデータ内容を表す単語が同じ「夕焼け」であったとしても、実データのデータ種類を示す拡張子「mid」，「mp3」が異なっていれば、異なるデザインのアイコンＩが表示されることになる。なお、この場合、例えば図示のようにアイコンＩと共に実データの名称と拡張子とを表示してもよい。勿論、ファイル名称を表示してもよい。
【００３７】
さらに、上述した実施例では、テキストデータに含まれる登録単語が１つのみでなく複数ある場合、複数の登録単語の中から１つを決定し（ステップＳ６参照）、該決定した１つの登録単語（単語情報）に応じて１つのアイコンを画面に表示するものを例に示したが、これに限らず、１つの登録単語に絞ることなく複数の登録単語毎に決定される複数のアイコンを１つに合成したアイコン（合成アイコン）を画面に表示するようにしてもよい。この場合、アイコン表示制御部Ｄはアイコン合成部を含む。
【００３８】
例えば、単語情報抽出部Ｂによって抽出された単語「海」，「船」，「鳥」、「雲」のいずれもが登録単語に相当する場合、アイコン表示決定部Ｃはアイコン編集テーブルを参照して複数のアイコンのデザイン及び表示態様を決定する。アイコン表示制御部Ｄは、アイコン表示決定部Ｃから送られた表示情報に含まれるアイコンデザイン情報に従って、記憶部１から対応する複数のアイコン部材データを取得し、該取得したアイコン部材データに基づいて所定デザインのアイコンを合成して画面に表示する。アイコンの表示例を図６（ｂ）に示す。図６（ｂ）に示すように、登録単語「海」に対応するアイコンＩ、登録単語「船」に対応するアイコンＩａ、登録単語「鳥」に対応するアイコンＩｂ、登録単語「雲」に対応するアイコンＩｃを作成して、これらを１つに合成して表示する。
【００３９】
複数のアイコンを１つに合成して表示する場合、以下に示す方法もある。すなわち、拡張子情報をファイル取得部Ａからアイコン表示制御部Ｄに送るようにし、アイコン表示制御部Ｄは拡張子情報に基づき記憶部１から前記拡張子情報に対応する基本アイコンを表示するためのアイコン部材データを取得する。その一方で、アイコン表示制御部Ｄは、アイコン表示決定部Ｃから送られた表示情報（テキストデータの分析によって得られた単語に基づき決定されたアイコンのデザイン及び表示態様）に従って、記憶部１から対応する複数のアイコン部材データを取得する。そして、アイコン表示制御部Ｄは、該取得したアイコン部材データに基づいて所定デザインのアイコンを複数作成し、これらを１つに合成して画面に表示する。例えば図６（ｂ）に示す例では、拡張子情報に対応する基本アイコンＩと、キストデータの分析によって得られた単語に基づき決定されたアイコンＩａ，アイコンＩｂ，アイコンＩｃ（部分アイコン）を１つに合成して表示する。
【００４０】
なお、画面に表示するアイコンは静止画像に限らず動画像であってもよい。その場合、例えば図６（ｂ）に示す例では部分アイコンＩａ，Ｉｂ，Ｉｃのうち１乃至複数を動画像として表示するようにしてもよい。
【符号の説明】
【００４１】
１…記憶部、２…制御部、３…実データ利用部、Ａ…ファイル取得部、Ｂ…単語情報抽出部、Ｃ…アイコン表示決定部、Ｄ…アイコン表示制御部、Ｉ…アイコン（基本アイコン）、Ｉａ，Ｉｂ，Ｉｃ…アイコン（部分アイコン）
【図１】
2014021599.tif 000003
【図２】
2014021599.tif 000004
【図３】
2014021599.tif 000005
【図４】
2014021599.tif 000006
【図５】
2014021599.tif 000007
【図６】
2014021599.tif 000008